(57)【要約】【課題】電池端子が変形した状態から元の状態に戻らなくなることを防止する電池収納構造を提供する。【解決手段】電池ケース５は、電池装着面５１１と周壁部５２とを備えている。周壁部５２は電池装着面５１１の周囲に立設されている。周壁部５２には、前後方向に延びるフック５４が形成されている。フック５４は、周壁部５２の内側に向かう方向である内側方向に向けて突出する突出部５４１を備えている。フック５４の内側方向には、正極端子５７０が配置されている。正極端子５７０は、第一板部５７１と第二板部５７２とを備えている。第一板部５７１は、電池８９の正極８９１に接触可能な接触部５７５を備えている。第一板部５７１は、フック５４に対向する。第二板部５７２は、折曲部５７７において第一板部５７１に対して折り曲げられている。第二板部５７２は、突出部５４１に隣接し、フック５４に当接する。【選択図】図１３
2015026499.tif 000002
【特許請求の範囲】
【請求項１】
底面部と、前記底面部の周囲に立設されて前記底面部に対向する開口部を形成する周壁部とによって規定され、電池を収納可能な電池収納部と、
前記周壁部の一部に設けられ、前記底面部と前記開口部とが対向する方向である対向方向に延び、前記周壁部の内側に向かう方向である内側方向に向けて突出する突出部を先端部に備えた可撓性を有するフックと、
前記フックの前記内側方向に配置された電池端子と、
前記電池端子に設けられ、前記フックに対向し、前記電池に接触可能な接触部を有する第一板部と、
前記電池端子において前記第一板部と接続され、前記対向方向において前記突出部に隣接し、前記フックに向かって傾いて前記フックと当接する第二板部と
を備えたことを特徴とする電池収納構造。
【請求項２】
前記電池収納部とは別体で形成され、前記フックを挟んで前記電池端子の反対側において前記フックに対向し、前記フックの可撓範囲内に位置する壁部を備え、
前記壁部と前記フックとの間の長さは、前記突出部の突出する長さ未満であることを特徴とする請求項１に記載の電池収納構造。
【請求項３】
前記電池収納部において前記電池端子における前記第二板部以外の部位に対向して設けられ、前記電池が前記電池収納部に収納された場合に前記電池端子に当接可能な当接部を備えたことを特徴とする請求項１又は２に記載の電池収納構造。
【請求項４】
前記当接部は、前記フックと一体に設けられていることを特徴とする請求項３に記載の電池収納構造。
【請求項５】
前記当接部は、前記対向方向において前記突出部より前記フックの基端側に設けられていることを特徴とする請求項４に記載の電池収納構造。
【請求項６】
前記第二板部は、前記第二板部と前記第一板部との間の折曲部において前記第一板部に対して折り曲げられることで、前記フックに向かって傾くことを特徴とする請求項１から５のいずれかに記載の電池収納構造。
【発明の詳細な説明】
【技術分野】
【０００１】
本発明は、電池を収納するための電池収納構造に関する。
【背景技術】
【０００２】
従来、電池を収納するための電池収納構造が知られている。電池収納構造は、収納部、負極端子、及び正極端子を有する。収納部は、上方が開放した凹型形状である。負極端子及び正極端子は、収納部の周囲の壁部の内側に位置する。負極端子は、スプリング状である。正極端子は、金属板で形成されている。正極端子は、電池に接触する部分を有する第一の板部と、第一の板部に対して折り曲げられた第二の板部とを有する。第二の板部が収納部に支持されることで、正極端子が収納部の内側に保持される（例えば、特許文献１参照）。
【先行技術文献】
【特許文献】
【０００３】
【特許文献１】特許第４０２５５５７号公報
【発明の概要】
【発明が解決しようとする課題】
【０００４】
電池が収納部に収納されると、正極端子に応力が付与される。応力が付与されると、第一の板部と第二の板部との間の角度が変化し、正極端子が弾性変形する。電池が収納部から取り外されると、正極端子に付与された応力がなくなり、正極端子は元の形状に戻る。しかし、正極端子への応力の付与が繰り返されると、電池端子が変形した状態から元の状態に戻らなくなる場合がある。
【０００５】
本発明の目的は、電池端子が変形した状態から元の状態に戻らなくなることを防止する電池収納構造を提供することである。
【課題を解決するための手段】
【０００６】
本発明に係る電池収納構造は、底面部と、前記底面部の周囲に立設されて前記底面部に対向する開口部を形成する周壁部とによって規定され、電池を収納可能な電池収納部と、前記周壁部の一部に設けられ、前記底面部と前記開口部とが対向する方向である対向方向に延び、前記周壁部の内側に向かう方向である内側方向に向けて突出する突出部を先端部に備えた可撓性を有するフックと、前記フックの前記内側方向に配置された電池端子と、前記電池端子に設けられ、前記フックに対向し、前記電池に接触可能な接触部を有する第一板部と、前記電池端子において前記第一板部と接続され、前記対向方向において前記突出部に隣接し、前記フックに向かって傾いて前記フックと当接する第二板部とを備えている。電池が電池収納部に収納されると、電池は電池端子の第一板部をフック側に押圧する。このとき、電池端子は、第二板部を介してフックを押圧する。このため、電池が電池収納部に収納されると、電池端子とフックとに分散されて応力が付与される。フックは可撓性を有するので、応力が付与された場合に、撓むことができる。このため、フックが設けられていない場合に比べて電池端子に付与される応力を小さくすることができる。よって、第一板部と第二板部との間の角度について、フックが設けられていない場合に比べて応力による角度の変化を小さくすることできる。角度の変化が小さいので、電池が取り外された場合に第一板部と第二板部との間の角度が元の角度に戻り易い。よって、電池端子が変形した状態から元の状態に戻らなくなることを防止することができる。
【０００７】
前記電池収納構造は、前記電池収納部とは別体で形成され、前記フックを挟んで前記電池端子の反対側において前記フックに対向し、前記フックの可撓範囲内に位置する壁部を備え、前記壁部と前記フックとの間の長さは、前記突出部の突出する長さ未満であってもよい。この場合、壁部によって、フックの撓み量を、突出部の突出する長さ未満に制限することができる。このため、フックが突出部の突出する長さより撓んで、電池端子をフックの突出部で保持できず、電池端子が電池収納部から外れることを防止できる。
【０００８】
前記電池収納構造は、前記電池収納部において前記電池端子における前記第二板部以外の部位に対向して設けられ、前記電池が前記電池収納部に収納された場合に前記電池端子に当接可能な当接部を備えてもよい。この場合、電池が電池収納部に収納された場合に、当接部が電池端子を支持することができる。よって、応力は当接部にも付与され、さらに応力が分散される。よって、電池端子に付与される応力がさらに小さくなり、電池端子が変形した状態から元の状態に戻らなくなることをより確実に防止することができる。
【０００９】
前記電池収納構造において、前記当接部は、前記フックと一体に設けられてもよい。この場合、電池が電池収納部に収納された場合に、フックにおける突出部に隣接する部位と当接部とによって電池端子を支持することができる。また、当接部がフックの撓みに伴って移動することができる。このため、当接部が移動しない場合に比べて、電池端子における当接部に当接する部分に付与される応力を小さくすることができる。よって、電池端子における当接部に当接する部分に付与される応力によって電池端子が変形することを防止できる。
【００１０】
前記電池収納構造において、前記当接部は、前記対向方向において前記突出部より前記フックの基端側に設けられてもよい。この場合、当接部が突出部より基端側に設けられているので、対向方向における突出部と同じ位置に当接部が設けられている場合に比べて、フックの撓み量を低減できる。よって、フックが撓み過ぎてフックが変形したり、折れたりすることを防止できる。
【００１１】
前記電池収納構造において、前記第二板部は、前記第二板部と前記第一板部との間の折曲部において前記第一板部に対して折り曲げられることで、前記フックに向かって傾いてもよい。この場合、折曲部において第二板部を第一板部に対して折り曲げることで、第一板部と第二板部とによって正極端子５７０が弾性力を発揮することができる。
【図面の簡単な説明】
【００１２】
【図１】テープ印字装置１及びテープカセット３０の斜視図である。
【図２】上カバー２０１、下カバー２０２、及び電池ケース５の分解斜視図である。
【図３】電池ケース５の周辺構造の斜視図である。
【図４】電池ケース５の斜視図である。
【図５】電池ケース５の斜視図である。
【図６】電池ケース５のフック５４周辺を前方から見た平面図である。
【図７】フック５４の周辺を上方から見た電池ケース５の断面図である。
【図８】電池ケース５に下カバー２０２を装着した状態における図６のＩ−Ｉ線矢視方向断面図である。
【図９】図８のフック５４の周辺構造を拡大した断面図である。
【図１０】正極端子５７０の斜視図である。
【図１１】正極端子５７０が電池ケース５に装着される過程を示す断面図である。
【図１２】正極端子５７０が電池ケース５に装着された状態のフック５４の周辺を上方から見た電池ケース５の断面図である。
【図１３】電池ケース５に電池８９が装着された状態を示す断面図である。
【発明を実施するための形態】
【００１３】
本発明を具体化した実施の形態について、図面を参照して説明する。本実施形態の説明では、図１の右下側、左上側、左下側、右上側、上側、下側を、それぞれテープ印字装置１及びテープカセット３０の前側、後側、左側、右側、上側、下側とする。なお、テープ印字装置１及びテープカセット３０の前後左右上下の方向は、便宜上定義されたものであり、テープ印字装置１及びテープカセット３０は、必ずしも、図１に示すように上側が上方を向いた姿勢にあるとは限らない。
【００１４】
本実施形態では、テープカセット３０に収納される各種テープ（例えば、感熱紙テープ、後述する印字テープ５７、両面粘着テープ、チューブテープ、フィルムテープ）を、総称してテープという。テープカセット３０に収納されるテープの種類（例えば、テープ幅、印字態様、テープの色、文字色など）を、総称してテープ種類という。
【００１５】
テープ印字装置１について説明する。テープ印字装置１は、１台でサーマルタイプ、レセプタタイプ、ラミネートタイプ、チューブタイプ等、各種のテープカセットが使用可能な汎用のテープ印字装置である。サーマルタイプのテープカセットは、感熱紙テープを備えている。レセプタタイプのテープカセットは、印字テープとインクリボンとを備えている。ラミネートタイプのテープカセットは、両面粘着テープとフィルムテープとインクリボンとを備えている。チューブタイプのテープカセットは、熱収縮可能なチューブテープとインクリボンとを備えている。
【００１６】
図１及び図２に示すように、テープ印字装置１は、略直方体形状の本体カバー２を備えている。本体カバー２は、本体カバー２の上部を形成する上カバー２０１と下部を形成する下カバー２０２とを含む。上カバー２０１は、カセットカバー６（後述）が開かれた場合におけるテープ印字装置１の上部、及びテープ印字装置１の側面の外装壁を形成する。下カバー２０２は、テープ印字装置１の底面及び側面の外装壁を形成する。図１に示すように、本体カバー２の前面には、テープ印字装置１の電源スイッチ等、テープ印字装置１を操作するための３つのスイッチ３が配置されている。テープ印字装置１の右面には、ＵＳＢ（Ｕｎｉｖｅｒｓａｌ  Ｓｅｒｉａｌ  Ｂｕｓ）ジャック（図示外）等が設けられている。テープ印字装置１は、ＵＳＢジャックに接続されたＵＳＢケーブル（図示外）等を介してパーソナルコンピュータ（図示外。以下、ＰＣという。）に接続される。テープ印字装置１はＰＣから送信されるキャラクタ（文字、数字、図形等）のデータに基づいて、テープにキャラクタの印字を行う。
【００１７】
テープ印字装置１の上面には、テープカセット３０の交換時に開閉されるカセットカバー６が設けられている。カセットカバー６は、平面視略長方形状の蓋部である。カセットカバー６は、本体カバー２の背面上方の左右両端部で軸支され、閉鎖位置（図示外）と、図１に示す開放位置との間で回動可能である。本体カバー２には、テープカセット３０を着脱可能な領域であるカセット装着部８が設けられている。カセット装着部８を形成する壁部は、上カバー２０１の一部である。カセット装着部８は、カセットカバー６が閉鎖位置にあるときに被覆され、カセットカバー６が開放位置にあるときに露出する。本体カバー２の左側面には、排出スリット１１１が設けられている。排出スリット１１１は、印字済みのテープをカセット装着部８から排出する。
【００１８】
カセットカバー６下の本体カバー２の構造について説明する。カセット装着部８は、キャビティ８０を含む。キャビティ８０は、カセットケース３１の底面の形状と略対応するように凹設された凹部である。
【００１９】
図１に示すように、カセット装着部８の前部には、ヘッドホルダ７４が立設されている。ヘッドホルダ７４は、左右方向に延びる１枚の板状部材で形成されている。ヘッドホルダ７４の前面には、発熱体（図示外）を備えるサーマルヘッド（図示外）が設けられている。ヘッドホルダ７４の後方には、リボン巻取軸９５が立設されている。リボン巻取軸９５は、テープカセット３０のリボン巻取スプール４４に着脱可能な軸体である。ヘッドホルダ７４の左方には、テープ駆動軸１００が立設されている。テープ駆動軸１００は、テープカセット３０のテープ駆動ローラ４６に着脱可能な軸体である。テープ駆動軸１００の右後方には、補助軸１１０が立設されている。補助軸１１０は、テープカセット３０の第一テープ支持孔６５に着脱可能な軸体である。カセット装着部８の右後部には、ガイド軸１２０が立設されている。ガイド軸１２０は、テープカセット３０の右後方の角部に設けられたガイド孔（図示外）に着脱可能な軸体である。カセット装着部８の下側には、ステッピングモータであるテープ駆動モータ（図示外）が配置されている。リボン巻取軸９５及びテープ駆動ローラ４６は、複数のギア（図示外）を介してテープ駆動モータに接続されており、テープ駆動モータの駆動に伴って回転する。この場合、テープカセット３０内のテープが搬送されながら、サーマルヘッドによって印字が行われ、排出スリット１１１から印字済みのテープが排出される。
【００２０】
図示しないが、ヘッドホルダ７４の前側には、左右方向に延びるアーム状のプラテンホルダが配置されている。プラテンホルダは、軸支部１２１を中心に揺動可能に軸支されている。プラテンホルダの左端部には、プラテンローラ及び可動搬送ローラが回転可能に軸支されている。プラテンローラは、上述のサーマルヘッド（図示外）に相対して、サーマルヘッドと接離可能である。可動搬送ローラは、テープ駆動軸１００に装着されているテープ駆動ローラ４６に相対して、テープ駆動ローラ４６と接離可能である。カセットカバー６が閉鎖されるとプラテンホルダが印字位置に向けて移動する。印字位置では、プラテンホルダがカセット装着部８に近接する。具体的には、レセプタタイプのテープカセット３０がカセット装着部８に装着されている場合、プラテンローラが印字テープ５７とインクリボン６０とを介してサーマルヘッドを押圧する。同時に、可動搬送ローラが印字テープ５７を介してテープ駆動ローラ４６を押圧する。印字位置では、テープ印字装置１がカセット装着部８に装着されているテープカセット３０を使用して印字を行うことが可能である。排出スリット１１１の右側には、カット機構（図示外）が設けられている。カット機構は、印字済みのテープを所定位置で切断する。
【００２１】
図２及び図３に示すように、テープ印字装置１の後部には、電池ケース５が配置されている。電池ケース５は、上カバー２０１と下カバー２０２との間に挟まれ、保持される。電池ケース５、上カバー２０１、及び下カバー２０２は何れも合成樹脂からなり、金型を用いた射出成型により形成される。電池ケース５は、６つの電池８９（図１３参照）を収納可能である。電池ケース５及びその周辺構造の詳細については後述する。
【００２２】
図１を参照して、テープカセット３０について説明する。テープカセット３０は、内部に収納されるテープの種類、及び、インクリボンの有無などを適宜変更することによって、前述のサーマルタイプ、レセプタタイプ、ラミネートタイプ、チューブタイプ等に実装可能な汎用カセットである。図１では、一例として、レセプタタイプに実装されたテープカセット３０を示している。
【００２３】
テープカセット３０は、その筐体であるカセットケース３１を備えている。カセットケース３１は、全体としては平面視で丸みを帯びた角部を有する略長方体状（箱型）である。カセットケース３１は、上ケース３１１と下ケース３１２とを含む。テープカセット３０の左前側の角部３２４には、テープカセット３０から排出されるテープを案内する排出案内部４９が設けられている。テープカセット３０の内部には、印字テープ５７が巻回されるテープスプール（図示外）とインクリボン６０が巻回されたインクリボンロールとが収納されている。テープカセット３０を用いた印字が行われる場合には、印字テープ５７とインクリボン６０が搬送され、サーマルヘッドによって印字が行われる。印字が行われた後の印字テープ５７は、排出案内部４９を介して排出スリット１１１から排出される。
【００２４】
図２〜図８を参照し、電池ケース５について詳述する。なお、図４及び図７は、正極端子５７０（図２及び図３参照、後述）を取り外した状態である。図２〜図４に示すように、電池ケース５は、電池装着面５１１と周壁部５２とを備えており、前方に向かって凹む凹状に形成されている。電池装着面５１１は、凹状の電池ケース５の底面（前方に凹んだ部分の後側の面）を形成する左右方向に長い矩形状の面である。図示しないが、電池ケース５に６つの電池８９が装着された状態では、電池８９は左右方向に並んでおり、前後方向にジグザグに配置される。電池装着面５１１は、装着される電池８９の形状に対応する前後方向の凹凸を有する。周壁部５２は、電池装着面５１１の周囲に後方に向かって立設されている。周壁部５２の後端部は、電池装着面５１１に対向する開口部５３を形成する。
【００２５】
開口部５３は、電池カバー（図示外）によって覆われており、電池カバーが取り外された場合に、電池ケース５がテープ印字装置１の外部に露出する。なお、電池カバーは、電池ケース５の左右の端部によって着脱可能に支持される。
【００２６】
周壁部５２は、負極端子５８２、及び正極端子５７０，５８１を支持する。負極端子５８２は、電池８９の負極（図示外）に接触可能な導電性を有する端子である。負極端子５８２は、渦巻状に電池ケース５の内側に突出する。正極端子５７０，５８１は、電池ケース５に収納される電池８９の正極８９１（図１３参照）に接触可能な導電性を有する端子である。正極端子５８１は、上下方向に平らな渦巻き状に形成されている。正極端子５７０の構造の詳細については後述する。
【００２７】
正極端子５７０，５８１と負極端子５８２とは、上下方向に対向して周壁部５２の内側に６組設けられている。より詳細には、周壁部５２のうち、下側の壁部５２２には、右側から左方向に、正極端子５７０、負極端子５８２、正極端子５８１、負極端子５８２、正極端子５８１、負極端子５８２の順に配置されている。正極端子５７０，５８１は、後述する壁部５２１側の３つの負極端子５８２に対向する。負極端子５８２は、壁部５２１側の３つの正極端子５８１に対向する。負極端子５８２の中心（上側から見た場合の中心）の前後方向の位置は、正極端子５７０，５８１の中心の前後方向の位置より後側である。
【００２８】
壁部５２２は、下端壁５２２Ａと支持部５２２Ｂとを備えている。下端壁５２２Ａは、壁部５２２の下端をなす壁部であり、左右方向に延びる。支持部５２２Ｂは、下端壁５２２Ａから上方に向けて立設されて、その上端部が正極端子５７０，５８１と負極端子５８２とに向かって延びる。２つの正極端子５８１、及び３つの負極端子５８２の夫々の左右の端部と前端部とは、支持部５２２Ｂの上端部と下端壁５２２Ａとの間の隙間に配置される。また、正極端子５７０の第一板部５７１（後述）の左右の端部は、支持部５２２Ｂと下端壁５２２Ａとの間の隙間に配置される（図１２参照）。
【００２９】
図示しないが、周壁部５２のうち、上側の壁部５２１（図２参照）には、右側から左方向に、負極端子５８２、正極端子５８１、負極端子５８２、正極端子５８１、負極端子５８２、及び正極端子５８１の順に配置されている。正極端子５８１の中心（下側から見た場合の中心）の前後方向の位置は、負極端子５８２の中心の前後方向の位置より後側である。
【００３０】
図２及び図４に示すように、壁部５２１は、上端壁５２１Ａと支持部５２１Ｂとを備えている。上端壁５２１Ａは、壁部５２１の上端をなす壁部であり、左右方向に延びる。支持部５２１Ｂは、上端壁５２１Ａから下方に向けて立設されて、その下端部が正極端子５８１と負極端子５８２とに向かって延びる。３つの正極端子５８１と３つの負極端子５８２との夫々の左右の端部と前端部とは、支持部５２１Ｂの下端部と上端壁５２１Ａとの間の隙間に配置される。
【００３１】
正極端子５７０の周辺構造について説明する。以下の説明では、電池装着面５１１と開口部５３とが対向する方向である前後方向を「対向方向」という場合がある。また、周壁部５２の内側に向かう方向を「内側方向」という場合がある。図５及び図６に示すように、下端壁５２２Ａの右端部の前後方向中央には、上方に向かう平面である平面部５２３が設けられている。平面部５２３には、フック５４が立設されている。図４及び図５に示すように、フック５４は、対向方向において前方向に延びる。フック５４は、下端壁５２２Ａの一部をなす。フック５４の先端部（前端部）は、電池ケース５の前端部に位置している。フック５４は、上下方向への可撓性を有する。フック５４の先端部には、内側方向に向けて突出する突出部５４１が設けられている（図９参照）。
【００３２】
以下の説明では、フック５４における前方向に延びる部位を柱部５４２という。図４及び図７に示すように、柱部５４２の左右の両端には、上方に突出する一対の凸部５４３，５４４が設けられている。凸部５４３，５４４は、フック５４と一体に設けられている。凸部５４３，５４４は、対向方向（前後方向）において突出部５４１よりフック５４の基端側（後側）に位置している。より詳細には、凸部５４３，５４４は、柱部５４２における突出部５４１の後側から柱部５４２の前後方向中央部に亘って設けられている。凸部５４３，５４４の上端は、突出部５４１の上端より下側である（図９参照）。凸部５４３，５４４は、正極端子５７０の第一矩形部５７４（後述）に対向している（図１２参照）。
【００３３】
図５に示すように、平面部５２３におけるフック５４の右側には、前方向に延びる壁部５３４が立設されている。平面部５２３におけるフック５４の左側には、前方向に延びる壁部５３５が立設されている。壁部５３４，５３５は、下端壁５２２Ａの一部をなす。壁部５３４及び壁部５３５の前端部は、電池ケース５の裏面５１２（前側の面）における壁部５３４，５３５の上側の部位の形状に対応する円弧状である。
【００３４】
電池ケース５の裏面５１２と電池装着面５１１とを形成する壁部を底壁５１という。図５及び図６に示すように、壁部５３４，５３５、フック５４と、底壁５１の右後側の端部とによって、孔部５１３が形成されている。孔部５１３が設けられていることによって、電池ケース５の裏面５１２の前側の空間と、周壁部５２の内側の空間とが繋がる。孔部５１３を形成する底壁５１の右後側の端部には、前述の支持部５２２Ｂ（図４参照）が連設されており、支持部５２２Ｂの下面側には、下方に向かって突出する突出部５２４が設けられている。突出部５２４は、前後方向に延び、左右方向においてフック５４より右側に位置する。
【００３５】
フック５４の内側方向には、正極端子５７０が配置される。図８及び図９に示すように、フック５４を挟んで正極端子５７０の反対側（すなわち、フック５４の下側）には、上端部がフック５４と対向する対向壁２０３が配置されている。対向壁２０３は、下カバー２０２から上方に向けて立設されている。すなわち、対向壁２０３は、電池ケース５とは別体で形成されている。対向壁２０３とフック５４とは、上下方向に離間しており、フック５４の可撓範囲内に位置している。図９に示すように、対向壁２０３とフック５４との間の長さＬ１は、突出部５２４のフック５４における突出長さＬ２未満である。
【００３６】
正極端子５７０の構成について詳細に説明する。図１０に示すように、正極端子５７０は、第一板部５７１、第二板部５７２、及び延伸部５７３を備えている。第一板部５７１は、フック５４に対向する板部である（図９参照）。第一板部５７１とフック５４は上下方向に離間している（図９参照）。第一板部５７１は、第一矩形部５７４、接触部５７５、及び第二矩形部５７６を有する。第一矩形部５７４は、前後方向に長い長方形の板部である。
【００３７】
接触部５７５は、第一矩形部５７４の中央部において、円形に上方に突出する部位である。より詳細には、接触部５７５は、平面部５７５Ａと、傾斜部５７５Ｂとを備えている。平面部５７５Ａは、接触部５７５の中央部をなす円形の平面である。傾斜部５７５Ｂは、平面部５７５Ａの周囲から、平面部５７５Ａの中心から離れる程ほど、下方に位置するように傾いている（図９参照）。電池８９が電池ケース５に装着された場合、接触部５７５の平面部５７５Ａが電池８９の正極８９１に接触する（図１３参照）。
【００３８】
第二矩形部５７６は、第一矩形部５７４に接続されており、第一矩形部５７４の前端における左右方向中央部から前方に延びる矩形状の板部である。第二板部５７２は、第一板部５７１の第二矩形部５７６の前端に接続されている。第二板部５７２は、フック５４に向かって傾いてフック５４と当接する。本実施形態では、第二板部５７２は、第二矩形部５７６と第二板部５７２との間の折曲部５７７において第一板部５７１に対して折り曲げられて前斜め下方に延びている。電池ケース５に電池８９が装着された場合、第二板部５７２の前端は、フック５４と当接する（図１３参照）。第二板部５７２は、対向方向において突出部５４１に隣接する（図９参照）。
【００３９】
延伸部５７３は、第一矩形部５７４の前端部の右部から、右方向に延びる板部である。延伸部５７３は、電池ケース５に設けられた孔部５１３を介して電池ケース５の外側に突出している（図５参照）。延伸部５７３の右端部の外形は、平面視で半円状に形成されている。延伸部５７３の右端部には、上下方向に貫通する円形の孔部５７８が設けられている。図示しないが、延伸部５７３の右端部には、ハーネス（図示外）が接続される。このとき、ハーネスの電線が孔部５７８に通されて延伸部５７３の右端部に巻き付けられ、はんだ付けによって正極端子５７０に電気的に接続される。ハーネスは、テープ印字装置１の内部に設けられた図示外の制御基板に電気的に接続されている。
【００４０】
製造時における正極端子５７０の電池ケース５への装着態様について説明する。正極端子５７０は、正極端子５７０の後端が後方を向く姿勢で、電池ケース５の前側から孔部５１３を介して前方に挿入される。図１１に示すように、正極端子５７０の第二板部５７２とフック５４の突出部５４１とが当接する。正極端子５７０は、延伸部５７３が突出部５２４（図５参照）に当接して上方への移動が制限される。このため、第二板部５７２と突出部５４１との間に力が発生し、フック５４と正極端子５７０との少なくとも一方が撓む。図１１に示す例では、フック５４が下方に撓んでいる。なお、正極端子５７０が撓む場合、例えば、第二板部５７２が折曲部５７７を中心として上方に撓む。
【００４１】
第二板部５７２が突出部５４１より後方に移動すると、フック５４及び第二板部５７２の撓みが解消され、図９に示すように、突出部５４１の後面が第二板部５７２の前側に位置した状態となる。突出部５４１によって、正極端子５７０が前側に抜けることが防止される。また、図１２に示すように、第二板部５７２の下端は、左右方向において凸部５４３，５４４の間に配置される。
【００４２】
前述したように、電池ケース５は、上カバー２０１と下カバー２０２とに挟まれて支持される。図８及び図９に示すように、下カバー２０２と電池ケース５とが互いに装着されると、下カバー２０２の対向壁２０３がフック５４の下側に配置される。
【００４３】
以上のように、本実施形態の電池ケース５が構成される。図１３に示すように、電池８９が電池ケース５に装着されると、電池８９の正極８９１は、第一板部５７１の接触部５７５をフック５４側（下側）に押圧する。接触部５７５がフック５４側に押圧されると、正極端子５７０がフック５４側に移動する。正極端子５７０の第二板部５７２がフック５４の柱部５４２に当接し、第一矩形部５７４の上端が凸部５４３，５４４（図１２参照）に当接する。
【００４４】
接触部５７５がフック５４側に押圧されると、正極端子５７０は、第二板部５７２を介してフック５４の柱部５４２を押圧する。このため、正極端子５７０とフック５４とに分散されて、電池８９からの応力が付与される。フック５４は可撓性を有するので、応力が付与された場合に下方に撓むことができる。図１３に示す例では、フック５４がわずかに下方に撓んでいる。フック５４が撓むので、フック５４が設けられていない場合に比べて正極端子５７０に付与される応力を小さくすることができる。よって、折曲部５７７における第一板部５７１と第二板部５７２との間の角度について、フック５４が設けられていない場合に比べて、応力による角度の変化を小さくすることができる。角度の変化が小さいので、電池８９が取り外された場合に、第一板部５７１と第二板部５７２との間の角度が元の角度に戻りやすい。よって、正極端子５７０が変形した状態から元の状態（電池８９によって押圧される前の状態）に戻らなくなることを防止することができる。また、フック５４が設けられていない場合に比べて応力による第一板部５７１と第二板部５７２との間の角度の変化を小さくすることができるので、折曲部５７７にかかる負荷を低減できる。よって、正極端子５７０が折曲部５７７で折れてしまうことを防止できる。
【００４５】
また、第一矩形部５７４の上端が凸部５４３，５４４（図１２参照）に当接するので、柱部５４２に加えて、凸部５４３，５４４が正極端子５７０を支持することができる。このため、応力は凸部５４３，５４４にも付与される。よって、凸部５４３，５４４が正極端子５７０に当接しない場合に比べてさらに応力が分散される。故に、正極端子５７０に付与される応力がさらに小さくなり、正極端子５７０が変形した状態から元の状態に戻らなくなることをより確実に防止することができる。
【００４６】
また、電池８９に押圧される正極端子５７０を複数の点で支えることができる。故に、第二板部５７２を柱部５４２で支持するのみの場合に比べて、フック５４の撓み量を小さくすることができる。よって、仮に、対向壁２０３が設けられていない場合でも、フック５４が撓んだ場合に、フック５４が撓み過ぎて正極端子５７０が脱落することをより確実に防止することができる。
【００４７】
また、凸部５４３，５４４はフック５４と一体に設けられている。このため、凸部５４３，５４４はフック５４の撓みに伴って下方に移動することができる。このため、凸部５４３，５４４が移動しない場合に比べて、凸部５４３，５４４に当接する部分である第一矩形部５７４に付与される応力を小さくすることができる。よって、第一矩形部５７４に付与される応力によって正極端子５７０が変形することを防止できる。
【００４８】
また、折曲部５７７において第二板部５７２を第一板部５７１に対して折り曲げられているので、正極端子５７０は、第一板部５７１と第二板部５７２とによって弾性力を発揮することができる。また、フック５４が設けられていることによって正極端子５７０が変形した状態から元の状態に戻るので、正極端子５７０が平らに近い状態となって正極端子５７０が突出部５４１に引っ掛からなくなり、正極端子５７０がフック５４から脱落することを防止できる。また、正極端子５７０が元の状態に戻るので、正極端子５７０の弾性力を維持することができる。このため、正極端子５７０の電池８９への接触圧力を維持することができる。
【００４９】
また、製造時に正極端子５７０を電池ケース５に装着する場合に、フック５４が撓む（図１１参照）。このため、作業者は、正極端子５７０を電池ケース５に容易に装着することができ、製造時の作業性を向上させることができる。また、作業者は、フック５４を撓ませて正極端子５７０を装着できるので（図１１参照）、フック５４が撓まない場合に比べて、正極端子５７０を電池ケース５に装着する場合における正極端子５７０の変形量を小さくすることができる。よって、正極端子５７０を電池ケース５に装着する場合の正極端子５７０への負荷を低減することができる。故に、正極端子５７０を電池ケース５に装着する場合に正極端子５７０が変形することを防止できる。
【００５０】
また、作業者はフック５４を撓ませて正極端子５７０を装着できるので、フック５４を設けない場合に比べて突出部５４１の突出量を大きくしても、正極端子５７０を電池ケース５に装着できる。このため、フック５４を設けない場合に比べて正極端子５７０に対する突出部５４１の掛かり量（正極端子５７０の第二板部５７２が引っ掛かる突出部５４１の後面の上下方向の長さＬ２）を大きくできる。よって、正極端子５７０がフック５４から脱落することをより確実に防止できる。
【００５１】
また、対向壁２０３が設けられているので、フック５４が撓むことが可能な長さは、対向壁２０３とフック５４との間の長さＬ１（図９参照）以下に制限される。対向壁２０３とフック５４との間の長さＬ１は、突出部５４１のフック５４における突出長さＬ２未満である（図９参照）。よって、対向壁２０３によって、フック５４の撓み量を突出部５４１の突出長さＬ２未満に制限することができる。故に、フック５４が突出部５４１の突出長さＬ２より撓んで、正極端子５７０を突出部５４１で保持できず、正極端子５７０が電池ケース５から外れることを防止できる。
【００５２】
また、凸部５４３，５４４は、対向方向（前後方向）において突出部５４１よりフック５４の基端側（後側）に設けられている。このため、対向方向における突出部５４１と同じ位置に凸部５４３，５４４が設けられている場合に比べて、フック５４の撓み量を低減することができる。よって、フック５４が撓み過ぎてフック５４が変形したり、折れたりすることを防止できる。
【００５３】
また、対向壁２０３が形成される下カバー２０２は、テープ印字装置１の外装壁を形成する機能を有する。このため、対向壁２０３とテープ印字装置１の外装壁とを別々に形成する場合に比べて、例えば、金型の数を減らすことができ、コストダウンすることができる。
【００５４】
本実施形態において、電池ケース５及び対向壁２０３等の電池８９を収納する構造は本発明の「電池収納構造」の一例である。電池装着面５１１は本発明の「底面部」の一例である。正極端子５７０は本発明の「電池端子」の一例である。電池ケース５は本発明の「電池収納部」の一例である。対向壁２０３は本発明の「壁部」の一例である。凸部５４３，５４４は本発明の「当接部」の一例である。
【００５５】
本発明は上記実施形態に限定されることなく、種々の変更が可能である。例えば、対向壁２０３は設けられなくてもよい。また、凸部５４３，５４４が第一矩形部５７４に当接していた。しかし、凸部５４３，５４４を削除し、第二板部５７２以外の部位に対向して設けられ、電池８９が電池ケース５に収納された場合に正極端子５７０に当接する当接部を設けてもよい。例えば、フック５４の柱部５４２を右方向に延ばし、延ばした部分に、延伸部５７３に当接可能な凸部である当接凸部（図示外）を形成してもよい。この場合、当接凸部は、突出部５４１よりフックの基端側に位置する。この場合でも、凸部５４３，５４４を設けた場合と同様の効果を得ることができる。また、当接凸部、及び凸部５４３，５４４は、フック５４と一体に設けられていたが、これに限定されず、例えば、壁部５３４に形成されるなど、フック５４と別体に設けられてもよい。また、当接凸部、及び凸部５４３，５４４等は、突出部５４１より基端側に設けられていたが、これに限定されない。例えば、正極端子５７０の一部が突出部５４１よりも前方に位置する部位を有する場合、該部位に当接するように、凸部を形成してもよい。第二矩形部５７６がなく、第二板部５７２は第一矩形部５７４に直接接続されていても良い。
【００５６】
また、第二板部５７２は折曲部５７７において第一板部５７１に対して折り曲げられて、フック５４に当接していたが、これに限定されない。例えば、第二板部５７２は第一板部５７１に対して湾曲しながらフック５４に向かって傾いてもよい。この場合においても、電池端子５７０は弾性力を発揮することができる。また、フック５４が設けられていることで、第一板部５７１と第二板部５７２との間の角度について、応力による角度の変化を小さくすることができる。よって、正極端子５７０が変形した状態から元の状態に戻らなくなることを防止することができる。また、フック５４が設けられていることで、湾曲する部分にかかる負荷を低減できる。よって、正極端子５７０が折れてしまうことを防止できる。
【符号の説明】
【００５７】
５    電池ケース
５４    フック
８９    電池
２０２    下カバー
２０３    対向壁
５１１    電池装着面
５４１    突出部
５４３，５４４    凸部
５７０，５８１    正極端子
５７１    第一板部
５７２    第二板部
５７３    延伸部
５７４    第一矩形部
５７６    第二矩形部
５７７    折曲部
８９１    正極
【図１】
2015026499.tif 000003
【図２】
2015026499.tif 000004
【図３】
2015026499.tif 000005
【図４】
2015026499.tif 000006
【図５】
2015026499.tif 000007
【図６】
2015026499.tif 000008
【図７】
2015026499.tif 000009
【図８】
2015026499.tif 000010
【図９】
2015026499.tif 000011
【図１０】
2015026499.tif 000012
【図１１】
2015026499.tif 000013
【図１２】
2015026499.tif 000014
【図１３】
2015026499.tif 000015